(57)【要約】      （修正有）【課題】安価で薄型化を図ることができるようにした基板接続装置を提供する。【解決手段】筐体１内にＡＶ基板４と電源基板５とを水平に配置し、ＡＶ基板４にケーブル６を介して接続した中継基板７のコネクタ８を電源基板５のコネクタ９に嵌合させることにより、ケーブル６、中継基板７及びコネクタ８，９を介してＡＶ基板４と電源基板５とが接続された基板接続装置において、前記中継基板７を前記コネクタ８，９を介して電源基板５上に起立させることにより、前記ケーブル６を中継基板７とＡＶ基板４との間に略Ｌ字状に配線して、そのケーブル６の高さｔ１が中継基板７の高さｔ２よりも小さく設定されている。【選択図】図１
0003115118.tif 000002
【実用新案登録請求の範囲】
【請求項１】
筐体内にＡＶ基板及び電源基板からなる第１、第２の基板を水平に配置したディスク装
置であって、第１基板にケーブルを介して接続した中継基板をコネクタを介して第２基板
上に起立させることにより、前記ケーブルを中継基板を乗り越えるように略Ｕ字状に配線
して、該ケーブルの高さが中継基板の高さよりも大きく設定され、そのケーブル、中継基
板及びコネクタを介して第１基板と第２基板とが接続された基板接続装置において、前記
第１基板と中継基板とがその両者の境界に形成した複数の切れ目間のつなぎ部を介して分
離可能に一体形成され、前記中継基板の切れ目側の内側縁に沿ってコネクタが設けられ、
前記ケーブルの両端から突出する多数のピンに対向して前記中継基板の外側縁と前記第１
基板の内側縁とに沿ってそれぞれ多数のピン孔を貫設することにより互いに所定間隔をお
いて平行する一対の直線状ピン孔列が形成されており、ケーブルの両端から突出する多数
のピンを前記各ピン孔列のピン孔に差し込んで半田付けし、前記つなぎ部を分断して第１
基板から中継基板を分離し、該中継基板を前記コネクタを介して第２基板上に起立させる
ことにより、前記ケーブルを中継基板と第１基板との間に略Ｌ字状に配線して、そのケー
ブルの高さが中継基板の高さよりも小さく設定され、前記切れ目が、コネクタに沿って延
びる直線状中央切れ目と、該中央切れ目の両端から中継基板側に斜めに延びる左右一対の
傾斜切れ目とからなり、その各傾斜切れ目の途中に前記つなぎ部が形成されていることを
特徴とする基板接続装置。
【請求項２】
筐体内に第１、第２の基板を水平に配置し、第１基板にケーブルを介して接続した中継
基板のコネクタを第２基板のコネクタに嵌合させることにより、ケーブル、中継基板及び
コネクタを介して第１基板と第２基板とが接続された基板接続装置において、前記中継基
板を前記コネクタを介して第２基板上に起立させることにより、前記ケーブルを中継基板
と第１基板との間に略Ｌ字状に配線して、そのケーブルの高さが中継基板の高さよりも小
さく設定されていることを特徴とする基板接続装置。
【請求項３】
前記第１基板と中継基板とがその両者の境界に形成した複数の切れ目間のつなぎ部を介
して分離可能に一体形成され、前記中継基板の切れ目側の内側縁に沿ってコネクタが設け
られ、前記ケーブルの両端から突出する多数のピンに対向して前記中継基板の外側縁と前
記第１基板の内側縁とに沿ってそれぞれ多数のピン孔を貫設することにより互いに所定間
隔をおいて平行する一対の直線状ピン孔列が形成されており、ケーブルの両端から突出す
る多数のピンを前記各ピン孔列のピン孔に差し込んで半田付けし、前記つなぎ部を分断し
て第１基板から中継基板を分離し、該中継基板を前記コネクタを介して第２基板上に起立
させるようにしたことを特徴とする請求項２に記載の基板接続装置。
【請求項４】
前記切れ目が、コネクタに沿って延びる直線状中央切れ目と、該中央切れ目の両端から
中継基板側に斜めに延びる左右一対の傾斜切れ目とからなり、その各傾斜切れ目の途中に
前記つなぎ部が形成されていることを特徴とする請求項３に記載の基板接続装置。
【考案の詳細な説明】
【技術分野】
【０００１】
本考案は、例えばディスク装置（ＤＶＤプレーヤ、ＤＶＤレコーダ、ビデオ装置一体型
ＤＶＤ）などの電子機器に使用される一対のプリント基板（以下、基板と略称する）どう
しを接続する基板接続装置に関し、特に電子機器の薄型化を図ることができるようにした
ものである。
【背景技術】
【０００２】
ディスク装置の一例として図４に示すものがある。これは、ビデオ装置一体型ＤＶＤで
あって、筐体１内の前方に、ディスクＤの再生などを行うためのＤＶＤプレーヤ（または
ＤＶＤレコーダ）２と、テープカセットＴの再生などを行うためのビデオ装置３とが配置
され、筐体１内の後方にＡＶ基板（第１基板）４と電源基板（第２基板）５とが所定間隔
をおいてほぼ同一の高さで水平に配置され、ＡＶ基板４にケーブル６を介して接続した中
継基板７をコネクタ８，９を介して電源基板５上に起立させることにより、ケーブル６が
中継基板７を乗り越えるようにして略Ｕ字状に配線され、そのケーブル６及びコネクタ８
，９を介してＡＶ基板４と電源基板５とが接続されている。
【０００３】
前記中継基板７は、図５に示すように、ＡＶ基板４に対して複数の切れ目１１間のつな
ぎ部１２を介して分離可能に一体形成されており、そのつなぎ部１２を分断することによ
り、ＡＶ基板４から分離される。
【０００４】
前記ケーブル６の両端から突出する多数のピン６ａに対応して、前記切れ目１１を間に
挟んで対向するＡＶ基板４の内側縁４ａと中継基板７の内側縁７ａとに多数のピン孔１３
，１４を貫設することにより互いに平行する一対の直線状ピン孔列１３Ａ，１４Ａが形成
され、中継基板７の外側縁７ｂに沿ってコネクタ８が設けられている。
【０００５】
従来、ＡＶ基板４と電源基板５との接続手順については、特許文献１などに記載したも
のがあり、その一例を説明すると、図５（ａ）に示すように、略Ｕ字状に弯曲させたケー
ブル６を指部で把持し、手差しでケーブル６の両端から突出する各ピン６ａを各ピン孔列
１３Ａ，１４Ａのピン孔１３，１４に差し込む〔図５（ｂ）〕。
【０００６】
続いて、ケーブル６付き両基板４，７の下面をディップ槽（図示せず）の半田液に漬け
ることにより、ケーブル６の各ピン６ａを両基板４，７の各ランドに半田付けする。
【０００７】
その後、図５（ｃ）に示すように、中継基板７を指部で把持して下向きに負荷Ｆをかけ
ることにより、つなぎ部１２を分断してＡＶ基板４から中継基板７を分離し、該中継基板
７をその内側縁７ａがケーブル６内に入り込むようにして起こし、該中継基板７のコネク
タ８を電源基板５のコネクタ９に嵌合させることにより、その中継基板７を電源基板５上
に起立させる〔図４（ｂ）参照〕。これによって、ケーブル６が中継基板７を乗り越えて
略Ｕ字状に配線される。
【特許文献１】特開昭５８−１９４３９４号公報
【考案の開示】
【考案が解決しようとする課題】
【０００８】
上記構成では、図４（ｂ）に示すように、ケーブル６を中継基板７を乗り越えて略Ｕ字
状に配線することにより、該ケーブル６の高さｔ１が中継基板７の高さｔ２よりも大きく
設定されており、そのケーブル６が筐体１の天板部１ａに近いため、その天板部１ａ側か
らケーブル６にノイズが乗り移って再生映像などに悪影響を与えるおそれがある。
【０００９】
そこで、安全基準上、筐体１の天板部１ａとケーブル６との間の間隔ｈを一定値以上確
保することが要求されており、これでは、その間隔ｈ（例えば５ｍｍ）とケーブル６の高
さｔ１（例えば３５ｍｍ）との合計幅（ｈ＋ｔ１）が大きくなるため（例えば４０ｍｍ）
、設計上、筐体１の高さＨを小さくしてディスク装置の薄型化を図る場合に大きな障害に
なっている。
【００１０】
また、ケーブル６の両端間に指部を差し込んで該ケーブル６の実装を手差しで行ってい
るため、両ピン孔列１３Ａ，１４Ａ間の間隔Ｌを例えば１０〜２０ｍｍ程度、比較的大き
くとる必要があり〔図５（ａ）参照〕、これに加えて、ケーブル６が略Ｕ字状に湾曲され
た状態で配線されるため〔図５（ｃ）参照〕、そのケーブル６が長尺となってコストアッ
プになる。更に、中継基板７上のコネクタ８がケーブル６の外側に配置されているため、
該中継基板７の横幅Ｋが大きくなり〔図５（ｂ）参照〕、この点でも、コストアップにな
っている。
【００１１】
本考案は、上記従来の欠点に鑑み、安価で薄型化を図ることができるようにした基板接
続装置を提供することを目的としている。
【課題を解決するための手段】
【００１２】
上記目的を達成するため、請求項１に記載の考案は、筐体内にＡＶ基板及び電源基板か
らなる第１、第２の基板を水平に配置したディスク装置であって、第１基板にケーブルを
介して接続した中継基板をコネクタを介して第２基板上に起立させることにより、前記ケ
ーブルを中継基板を乗り越えるように略Ｕ字状に配線して、該ケーブルの高さが中継基板
の高さよりも大きく設定され、そのケーブル、中継基板及びコネクタを介して第１基板と
第２基板とが接続された基板接続装置において、前記第１基板と中継基板とがその両者の
境界に形成した複数の切れ目間のつなぎ部を介して分離可能に一体形成され、前記中継基
板の切れ目側の内側縁に沿ってコネクタが設けられ、前記ケーブルの両端から突出する多
数のピンに対向して前記中継基板の外側縁と前記第１基板の内側縁とに沿ってそれぞれ多
数のピン孔を貫設することにより互いに所定間隔をおいて平行する一対の直線状ピン孔列
が形成されており、ケーブルの両端から突出する多数のピンを前記各ピン孔列のピン孔に
差し込んで半田付けし、前記つなぎ部を分断して第１基板から中継基板を分離し、該中継
基板を前記コネクタを介して第２基板上に起立させることにより、前記ケーブルを中継基
板と第１基板との間に略Ｌ字状に配線して、そのケーブルの高さが中継基板の高さよりも
小さく設定され、前記切れ目が、コネクタに沿って延びる直線状中央切れ目と、該中央切
れ目の両端から中継基板側に斜めに延びる左右一対の傾斜切れ目とからなり、その各傾斜
切れ目の途中に前記つなぎ部が形成されていることを特徴としている。
【００１３】
請求項２に記載の考案は、筐体内に第１、第２の基板を水平に配置し、第１基板にケー
ブルを介して接続した中継基板のコネクタを第２基板のコネクタに嵌合させることにより
、ケーブル、中継基板及びコネクタを介して第１基板と第２基板とが接続された基板接続
装置において、前記中継基板を前記コネクタを介して第２基板上に起立させることにより
、前記ケーブルを中継基板と第１基板との間に略Ｌ字状に配線して、そのケーブルの高さ
が中継基板の高さよりも小さく設定されていることを特徴としている。
【００１４】
請求項３に記載の考案は、請求項２に記載の考案において、前記第１基板と中継基板と
がその両者の境界に形成した複数の切れ目間のつなぎ部を介して分離可能に一体形成され
、前記中継基板の切れ目側の内側縁に沿ってコネクタが設けられ、前記ケーブルの両端か
ら突出する多数のピンに対向して前記中継基板の外側縁と前記第１基板の内側縁とに沿っ
てそれぞれ多数のピン孔を貫設することにより互いに所定間隔をおいて平行する一対の直
線状ピン孔列が形成されており、ケーブルの両端から突出する多数のピンを前記各ピン孔
列のピン孔に差し込んで半田付けし、前記つなぎ部を分断して第１基板から中継基板を分
離し、該中継基板を前記コネクタを介して第２基板上に起立させるようにしたことを特徴
としている。
【００１５】
請求項４記載の考案は、請求項３に記載の考案において、前記切れ目が、コネクタに沿
って延びる直線状中央切れ目と、該中央切れ目の両端から中継基板側に斜めに延びる左右
一対の傾斜切れ目とからなり、その各傾斜切れ目の途中に前記つなぎ部が形成されている
ことを特徴としている。
【考案の効果】
【００１６】
請求項１に記載の考案は実施の一形態（図１〜図３参照）に対応するものであって、こ
れによれば、中継基板と第１基板との間にケーブルが略Ｌ字状に配線されて、該ケーブル
の高さが中継基板の高さよりも小さく設定されているから、そのケーブルから筐体の天板
部までの間隔を十分に大きくとって安全基準に適合させることができ、これによって、天
板部側からケーブルにノイズが乗り移って再生映像などに悪影響を与えるおそれが無くな
り、鮮明な映像を再生することができ、しかも、ユーザの要望に応じて筐体の高さを小さ
くして薄型化を図ることができる。
【００１７】
また、前記中継基板の外側縁と第１基板の内側縁とに沿って一対のピン孔列が形成され
ており、該両ピン孔列間の間隔を十分に大きくとることができるから、該両ピン孔列に対
するケーブルの手差しによる実装を容易に行うことができると共に、ケーブルが中継基板
と第１基板との間に略Ｌ字状に配線されて短尺であるため、コストダウンを図ることがで
きる。更に、中継基板上のコネクタがケーブルの内側に配置されているため、該中継基板
の横幅を従来よりも小さくすることができ、この点でも、コストダウンを図ることできて
経済的である。
【００１８】
しかも、コネクタに対向する直線状中央切れ目の両端に連なる左右一対の傾斜切れ目が
中継基板側に斜めに延びており、中継基板をコネクタを介して第２基板上に起立させたと
きに、各傾斜切れ目の途中に形成したつなぎ部が第２基板から離間されるから、そのつな
ぎ部がコネクタの嵌合を阻害することがなく、そのコネクタを介して中継基板を第２基板
上に確実に起立させることができる。
【００１９】
要するに、ＡＶ基板と電源基板とを安価な構造で確実に接続することができと共に、ユ
ーザの要望に応じて薄型化を図った実用性の高いディスク装置を提供することができるも
のである。
【００２０】
請求項２に記載の考案は基本形態に対応するものであって、これによれば、中継基板と
第１基板との間にケーブルが略Ｌ字状に配線されて、該ケーブルの高さが中継基板の高さ
よりも小さく設定されているから、そのケーブルから筐体の天板部までの間隔を十分に大
きくとって安全基準に適合させることができ、これによって、天板部側からケーブルにノ
イズが乗り移って再生映像などに悪影響を与えるおそれが無くなり、鮮明な映像を再生す
ることができ、しかも、ユーザの要望に応じて筐体の高さを小さくして薄型化を図ること
ができる。
【００２１】
請求項３に記載の考案によれば、前記中継基板の外側縁と第１基板の内側縁とに沿って
一対のピン孔列が形成されており、該両ピン孔列間の間隔を十分に大きくとることができ
るから、該両ピン孔列に対するケーブルの手差しによる実装を容易に行うことができると
共に、ケーブルが中継基板と第１基板との間に略Ｌ字状に配線されて短尺であるため、コ
ストダウンを図ることができる。更に、中継基板上のコネクタがケーブルの内側に配置さ
れているため、該中継基板の横幅を従来よりも小さくすることができ、この点でも、コス
トダウンを図ることできて経済的である。
【００２２】
請求項４に記載の考案によれば、コネクタに対向する直線状中央切れ目の両端に連なる
左右一対の傾斜切れ目が中継基板側に斜めに延びており、中継基板をコネクタを介して第
２基板上に起立させたときに、各傾斜切れ目の途中に形成したつなぎ部が第２基板から離
間されるから、そのつなぎ部がコネクタの嵌合を阻害することがなく、そのコネクタを介
して中継基板を第２基板上に確実に起立させることができる。
【考案を実施するための最良の形態】
【００２３】
図１〜図３は本考案の実施の一形態である基板接続装置を備えたディスク装置（ビデオ
装置一体型ＤＶＤ）を示すものであって、中継基板７の切れ目１１側の内側縁７ａに沿っ
てコネクタ８が設けられ、中継基板７の外側縁７ｂとＡＶ基板（第１基板）４の内側縁４
ａとに沿ってピン孔列１３Ａ，１４Ａが形成され、電源基板（第２基板）５上にコネクタ
８，９を介して起立させた中継基板７とＡＶ基板４との間にケーブル６が略Ｌ字状に配線
され、そのケーブルの高さｔ１が中継基板７の高さｔ２よりも小さく設定され、切れ目１
１が、コネクタ８に沿って延びる直線状中央切れ目１１ａと、該中央切れ目１１ａの両端
から中継基板７側に斜めに延びる左右一対の傾斜切れ目１１ｂとからなり、その各傾斜切
れ目１１ｂにつなぎ部１２が形成されている。上記以外の構成は図４及び図５に示す構成
とほぼ同じであるから、同一部分に同一符号を付してその説明を省略する。
【００２４】
ＡＶ基板４と電源基板５との接続手順を説明すると、図２（ａ）に示すように、略Ｕ字
状に弯曲させたケーブル６を指部で把持し、手差しでケーブル６の両端から突出する各ピ
ン６ａを各ピン孔列１３Ａ，１４Ａのピン孔１３，１４に差し込む〔図２（ｂ）〕。
【００２５】
続いて、ケーブル６付き両基板４，７の下面をディップ槽（図示せず）の半田液に漬け
ることにより、ケーブル６の各ピン６ａを両基板４，７の各ランドに半田付けする。
【００２６】
その後、図２（ｃ）に示すように、中継基板７を指部で把持して上向きに負荷Ｆをかけ
ることにより、つなぎ部１２を分断してＡＶ基板４から中継基板７を分離し、該中継基板
７をその内側縁７ａが下向きになるようにして起こし、該中継基板７のコネクタ８を電源
基板５のコネクタ９に嵌合させることにより、その中継基板７を電源基板５上に起立させ
る〔図１（ｂ）参照〕。これによって、ケーブル６が中継基板７とＡＶ基板４との間に略
Ｌ字状に配線される。
【００２７】
上記構成によれば、中継基板７とＡＶ基板４との間にケーブル６が略Ｌ字状に配線され
て、該ケーブル６の高さｔ１が中継基板７の高さｔ２よりも小さく設定されているから〔
図１（ｂ）参照〕、そのケーブル６から筐体１の天板部１ａまでの間隔ｈを十分に大きく
とって安全基準に適合させることができ、これによって、天板部１ａ側からケーブル６に
ノイズが乗り移って再生映像などに悪影響を与えるおそれが無くなり、鮮明な映像を再生
することができ、しかも、ユーザの要望に応じて筐体１の高さＨを小さくして薄型化を図
ることができる。
【００２８】
また、中継基板７の外側縁７ｂとＡＶ基板４の内側縁４ａとに沿って一対のピン孔列１
３Ａ，１４Ａが形成されており、該両ピン孔列１３Ａ，１４Ａ列間の間隔Ｌを十分に大き
くとることができるから〔図２（ａ）参照〕、該両ピン孔列１３Ａ，１４Ａに対するケー
ブル６の手差しによる実装を容易に行うことができると共に、ケーブル６が中継基板７と
ＡＶ基板４との間に略Ｌ字状に配線されて短尺であるため〔図２（ｃ）参照〕、コストダ
ウンを図ることができる。更に、中継基板７上のコネクタ８がケーブル６の内側に配置さ
れているため〔図２（ｂ）参照〕、該中継基板７の横幅Ｋを従来よりも小さくすることが
でき、この点でも、コストダウンを図ることできて経済的である。
【００２９】
しかも、コネクタ８に対向する直線状中央切れ目１１ａの両端に連なる左右一対の傾斜
切れ目１１ｂが中継基板７側に斜めに延びており〔図３（ａ）参照〕、中継基板７をコネ
クタ８，９を介して電源基板５上に起立させたときに、各傾斜切れ目１１ｂの途中に形成
したつなぎ部１２が電源基板５から所定間隔ｄだけ離間されるから〔図３（ｂ）参照〕、
そのつなぎ部１２がコネクタ８，９の嵌合を阻害することがなく、そのコネクタ８，９を
介して中継基板７を電源基板５上に確実に起立させることができる。
【００３０】
要するに、ＡＶ基板４と電源基板５とを安価な構造で確実に接続することができと共に
、ユーザの要望に応じて薄型化を図った実用性の高いディスク装置を提供することができ
るものである。
【００３１】
上記構成では、ＡＶ基板４を第１基板とし、電源基板５を第２基板として、そのＡＶ基
板４と中継基板７との間にケーブル６を略Ｌ字状に配線したが、その逆に、電源基板５を
第１基板とし、ＡＶ基板４を第２基板として、その電源基板５と中継基板７との間にケー
ブル６を略Ｌ字状に配線するようにしてもよい。
【産業上の利用可能性】
【００３２】
上記実施の形態では、ディスク装置（ＤＶＤプレーヤ、ＤＶＤレコーダ、ビデオ装置一
体型ＤＶＤ）を例にあげて説明したが、これ以外の各種電子機器の基板接続装置にも適用
される。
【図面の簡単な説明】
【００３３】
【図１】（ａ）は本考案の実施の一形態である基板接続装置を備えたディスク装置の水平断面図、（ｂ）はＡ−Ａ矢視図である。
【図２】（ａ）〜（ｃ）は同接続手順を示す斜視図である。
【図３】（ａ）は中継基板付きＡＶ基板の正面図、（ｂ）は中継基板をコネクタを介して電源基板上に起立させた状態を示す要部の縦断面図である。
【図４】（ａ）は従来の基板接続装置を備えたディスク装置の水平断面図、（ｂ）はＢ−Ｂ矢視図である。
【図５】（ａ）〜（ｃ）は同接続手順を示す斜視図である。
【符号の説明】
【００３４】
１              筐体
４              ＡＶ基板（第１基板）
４ａ            ＡＶ基板の内側縁
５              電源基板（第２基板）
６              ケーブル
７              中継基板
７ａ            中継基板の内側縁
７ｂ            中継基板の外側縁
８，９          コネクタ
１１            切れ目
１１ａ          中央切れ目
１１ｂ          傾斜切れ目
１２            つなぎ部
１３，１４      ピン孔
１３Ａ，１４Ａ  ピン孔列
ｔ１            ケーブルの高さ
ｔ２            中継基板の高さ
【図１】
0003115118.tif 000003
【図２】
0003115118.tif 000004
【図３】
0003115118.tif 000005
【図４】
0003115118.tif 000006
【図５】
0003115118.tif 000007